(57)【要約】【課題】パレットと共に用いる荷崩れ防止ネットであって、段積み荷物全体を安定に固定でき、取り付け作業が容易であり、かつパレットや荷物の大きさの変化に柔軟に適応できる荷崩れ防止ネットを提供する。【解決手段】荷崩れ防止ネット１０が、弾性材にて形成される筒状ネット部１１と、前記筒状ネット部の上縁及び下縁のそれぞれに沿って通された弾性線材１４、１６とを有する。筒状ネット部の上縁対向位置に、互いに連結可能な一対の上部閉鎖具をそれぞれ設ける。【選択図】  図１
2004189310.tif 000002
【特許請求の範囲】
【請求項１】
パレットと共に用いられる荷崩れ防止ネットであって、弾性材にて形成される筒状ネット部と、前記筒状ネット部の上縁及び下縁のそれぞれに沿って通された弾性線材とを有することを特徴とする荷崩れ防止ネット。
【請求項２】
前記筒状ネット部の上縁における対向位置に、互いに連結可能な一対の上部閉鎖具をそれぞれ設けることを特徴とする請求項１に記載の荷崩れ防止ネット。
【発明の詳細な説明】
【０００１】
【発明の属する技術分野】
本発明は、荷物輸送用パレット（以下、「パレット」と称する）と共に用いられる荷崩れ防止ネットに関する。
【０００２】
【従来の技術】
従来、台車やパレット等に段積みした箱状の荷物の荷崩れを防止するために、使い捨てのプラスチック製テープを段積み荷物に幾重にも巻き付け固定する手法が一般的であった。
【０００３】
図３は、使い捨てではなく繰り返し使用する荷崩れ防止具の従来例について、その使用状態を示した図である。段積み荷物２００の荷崩れを防止するために、帯状の荷崩れ防止具１００が用いられる。荷崩れ防止具１００を段積み荷物２００の周囲に巻回し、両端の巻止部１０２に設けた面ファスナー等により固定する(特許文献１〜４参照)。
【０００４】
さらに、特許文献５のような荷崩れ防止網も提示されている。特許文献５の荷崩れ防止網は、パレットの荷台面積と同じかそれ以上の断面積を有する筒状のネット部材と、筒の開口縁及び筒の外周に沿って通したバンド部材と、筒の下端に設けた複数のフック部とを有している。筒状ネット部材で段積み荷物を覆い、バンド部材を引っ張り開口を緊縮し、さらにフック部をパレットに引っ掛けることにより固定する。
【０００５】
【特許文献１】
特開平１１−１４７５３１公報
【特許文献２】
特開２００１−１２２２６５号公報
【特許文献３】
特開２００１−３０１８１６号公報
【特許文献４】
特開２００２−１７９１３２号公報
【特許文献５】
特開２００１−８０６６８号公報
【０００６】
しかしながら、使い捨てのプラスチック製テープを用いた場合は、大量のごみが発生し、環境及び省資源の観点から好ましくない。また、特許文献１〜４に記載の帯状部材を用いる場合は、段積み荷物の周囲に帯状部材を巻き付ける作業を一人で行うことが容易ではない。また、全体を覆うために複数本の帯状部材を必要とする場合にはさらに作業負担が大きくなる。
【０００７】
特許文献５に記載の筒状のネット部材は、パレットの荷台面積と同じかそれ以上の断面積をもつ大きさを有し、バンド部材を締めることによりパレット又は荷物の大きさに適応させるので、実質的にはバンド部材のみで荷物を固定することになり、ネット部材自体は緩んだ状態となる。従って、段積み荷物全体を均等な保持力で固定することができない。また、フックの取り付け位置が固定されているため、パレット側の引っ掛け位置がフックの取り付け位置と合致していない場合にはフックを取り付けることができない。つまり、種々の形状のパレットに適応することができない。
【０００８】
以上の現状に鑑み、本発明は、パレットと共に用いる荷崩れ防止ネットであって、段積み荷物全体を均等な保持力で安定に固定することができ、取り付け作業が容易であり、かつパレットや荷物の形状や大きさの変化に柔軟に適応できる荷崩れ防止ネットを提供することを目的とする。
【０００９】
【課題を解決するための手段】
上記の目的を達成すべく、本発明による荷崩れ防止ネットは、弾性材にて形成される筒状ネット部と、前記筒状ネット部の上縁及び下縁のそれぞれに沿って通された弾性線材とを有する。
好適には、前記筒状ネット部の上縁における対向位置に、互いに連結可能な一対の上部閉鎖具をそれぞれ設ける。
【００１０】
【発明の実施の形態】
以下、図面を参照しつつ本発明の実施の形態を説明する。
図１は、本発明による荷崩れ防止ネット１０の斜視図である。荷崩れ防止ネット１０は、弾性材により形成される筒状ネット部１１を有し、筒状ネット部１１の上縁及び下縁のそれぞれに沿って弾性線材１４及び１６が全周に亘って通されている。当然ながら、図示の形状は固定されたものではなく、荷崩れ防止ネット１０の全体形状は、変形（弾性変形を含む）自在である。従って、パレットや荷物の大きさの変化に柔軟に対応することができる。尚、筒状ネット部１１は、例えば、平面状の弾性ネット材を筒状に巻き、連結部１８にて固着することにより製造される。筒状ネット部１１及び弾性線材１４、１６の材料としては、適度な弾性と耐久性を備えた弾性繊維であればいずれも利用でき、ポリウレタン系、芳香族ポリアミド系等がある。別の例として、ゴムでもよい。
【００１１】
好適には、筒状ネット部１１の上縁の対向位置（円周とした場合に約１８０度をなす位置）に、互いに連結可能な一対の上部閉鎖具１２ａ及び１２ｂをそれぞれ設ける。一対の上部閉鎖具１２ａと１２ｂは、例えば、図示の面ファスナーのように容易に着脱可能なものとする。あるいは、互いに掛かりあうフックやボタンでもよい。
【００１２】
図２は、図１の本発明による荷崩れ防止ネット１０をパレット３０と共に用いた使用状態図である。図２を参照して、荷崩れ防止ネット１０を取り付ける工程を説明する。先ず、パレット３０に段積みされた荷物２０の上から荷崩れ防止ネット１０を被せ、段積み荷物２０を覆う。好適には、荷崩れ防止ネット１０が弾性的にやや伸びた状態で段積み荷物２０全体を覆うように、荷崩れ防止ネットの大きさを設定する。すなわち、荷崩れ防止ネット１０の筒周囲の全長が、パレット断面の周囲の全長よりも短くなるように設定すればよい。このように設定すると、荷崩れ防止ネット１０の弾性力が段積み荷物全体に均等に及び、荷物全体を安定に保持することができる。
【００１３】
荷崩れ防止ネット１０により荷物全体を覆った後、上縁弾性線材１４の四隅をそれぞれ４本のパレット柱部３４に引っ掛ける。次に、パレット台部３２の下面四隅から下方に突出するように設けた４本の台下掛け具３６のそれぞれに下縁弾性線材１６を引っ掛ける。そして最後に、一対の上部閉鎖具１２ａと１２ｂとを互いに連結することにより、段積み荷物２０の上面を固定する。
【００１４】
【発明の効果】
本発明による荷崩れ防止ネットは、弾性材にて形成される筒状ネット部と、前記筒状ネット部の上縁及び下縁のそれぞれに沿って通された弾性線材とを有する構成としたことにより、弾性変形を含め変形自在であることから、パレットや荷物の大きさの変化に柔軟に適応できると共に、その弾性力により段積み荷物全体を均等な保持力で安定に固定することができる。加えて、荷崩れ防止ネットの上部閉鎖具を設けた場合には、より安定に段積み荷物を保持することができる。
【００１５】
また、上縁及び下縁の弾性線材をパレット柱部及び台下掛け具に引っ掛けることにより、荷崩れ防止ネットのズレや落下を防ぐことができる。さらに、上縁及び下縁の弾性線材は全周に通されているので、パレット柱部や台下掛け具の位置が異なる種々のパレットに用いる場合にも、その引っ掛け位置に関わらず弾性線材を引っ掛けることができる。
【００１６】
またさらに、パレットに段積みした荷物に荷崩れ防止ネットを被せ、弾性線材を引っ掛け、そして上部閉鎖具を閉じる作業は、一人でも極めて容易に行うことができる。
【図面の簡単な説明】
【図１】本発明による荷崩れ防止ネットの斜視図である。
【図２】図１の本発明による荷崩れ防止ネットをパレットと共に用いた使用状態図である。
【図３】従来の荷崩れ防止ネットの一例について使用状態を示す図である。
【符号の説明】
１０  荷崩れ防止ネット
１１  筒状ネット部
１２  上部閉鎖具
１４  上縁弾性線材
１６  下縁弾性線材
１８  連結部
２０  段積み荷物
３０  パレット
３２  パレット台部
３４  パレット柱部
３６  台下掛け具
３８  パレット車輪
１００  荷崩れ防止具
１０２  巻止部
２００  段積み荷物
【図１】
2004189310.tif 000003
【図２】
2004189310.tif 000004
【図３】
2004189310.tif 000005